(57)【要約】      （修正有）【課題】字体形状のフラワーベース本体に直接生花やドライフラワーを配置して、華やかな演出を醸しだすことができる字体フラワーベースを提供する。【解決手段】字体形状のフラワーベース本体に設けられた凹部内にフローラルフォームが固定された字体形状フラワーベースであって、フローラルフォームがフラワーベース本体の凹部に押し込まれて、凹部内に突出する複数の突起物に刺しこまれ、又は挟み込まれて凹部内に固定され、固定されたフローラルフォームに生花やドライフラワーを挿入して飾り付けるよう構成した。【選択図】図１
0003220962.tif 000002
【実用新案登録請求の範囲】
【請求項１】
字体形状のフラワーベース本体とフローラルフォーム固定手段からなる字体フラワーベースであって、該フラワーベース本体にフローラルフォーム固定手段が設けられ、該固定手段に生花やドライフラワーが固定されるよう構成したことを特徴とする字体フラワーベース。
【請求項２】
該字体フラワーベース本体に凹部が設けられ、該凹部にフローラルフォーム固定手段が設けられたことを特徴とする請求項１記載の字体フラワーベース。
【請求項３】
該字体フラワーベース本体がワックス製であることを特徴とする請求項１記載の字体フラワーベース。
【考案の詳細な説明】
【技術分野】
【０００１】
本考案は、結婚式前に前撮りのアイテムとして使用したり、写真を撮って、招待状などにロゴとして使ったり、結婚式当日に受付や高砂装飾品アイテムとして飾る、ゲストとの記念写真の時に持って写真を撮る際のアイテムとして使用でき、さらにまた、結婚式後の後撮りアイテムとして使用したり、さらに自宅玄関のインテリアとして飾ったり、お譲りアイテム品として使用できる字体フラワーベースに関するものである。                                                                                                                          
【背景技術】
【０００２】
結婚式や披露宴の演出アイテムとして、アルファベットオブジェや新郎新婦のイニシャルをかたどったイニシャルオブジェなどの字体オブジェが好評であり、さらにそれらのオブジェを際立たせるために、オブジェの足元や周りに生花や、水を必要としないアートフラワー、プリザーブドフラワー等のドライフラワーを配置して、一層華やかな演出を醸し出している。                                                                                                                                          
【考案の概要】
【考案が解決しようとする課題】
【０００３】
しかしながら、生花を飾り付けるには、フラワーベースに配した水を含ませた生花専用のフローラルフォームに挿入しなければならない。ドライフラワーは、専用のフラワーベースに配したドライフラワー用のフローラルフォームに挿入して飾り付けられることが一般的であった。そのため結婚式、披露宴の準備する際に字体オブジェの他に生花用のフラワーベース及びドライフラワー用のフラワーベースを揃え配置しなければならないばかりか、撤収の際も多大な労力を要していた。                  
【課題を解決するための手段】
【０００４】
本考案者は字体オブジェ自体に、生花やドライフラワーを飾りつけるためのフローラルフォームを固定すれば、該オブジェに直接生花やドライフラワーの飾りつけができ上記問題が解決されることに着目し、更に検討した結果本考案に到達したものである。  
【０００５】
すなわち、第一の考案は、字体形状のフラワーベース本体とローラルフォーム固定手段からなる字体フラワーベースであって、該フラワーベース本体にフローラルフォーム固定手段が設けられ、該固定手段に生花やドライフラワーが固定されるよう構成したことを特徴とする字体フラワーベースである。
第二の考案は、該字体フラワーベース本体に設けられた凹部にフローラルフォーム固定手段が設けられたことを特徴とする上記(１)記載の字体フラワーベースである。
第三の考案は、フラワーベース本体がワックス製であることを特徴とする上記(１)乃至(２)記載の字体フラワーベースである。
【考案の効果】
【０００６】
本考案の字体フラワーベースは、字体オブジェに生花用フラワーベース及びドライフラワー用フラワーベースの機能を付加させることで、１）字体フラワーベース自体に生花やドライフラワーの飾りつけが容易にでき、結婚式、披露宴のせわしい状況の中で、準備あるいは撤収が簡便簡易に大幅な労力の削減につながる。
さらに、２）予め生花やドライフラワーを飾り付けた字体フラワーベースを結婚式会場や披露宴会場に持ち込むことが可能となり、さらに演出終了後に、そのまま会場からの撤収も可能となり、演出進行の段取りが効率よく行える。
さらにまた、３）字体フラワーベース自体に生花やドライフラワーが飾り付けられることで、該フラワーベースの装飾性が格段に高まることになる。                                                                                                          
【図面の簡単な説明】
【０００７】
【図１】本考案の字体フラワーベースの写真
【図２】本考案のフローラルフォームを固定させた字体フラワーベースの写真
【図３】本考案のドライフラワーを飾り付けた字体フラワーベースの写真
【図４】本考案の複数の生花を飾り付けた字体フラワーベースで構成されるワード「ＬＯＶＥ」の写真
【図５】従来のアルファベットオブジェの写真
【図６】従来のイニシャルオブジェの写真
【図７】従来のビッグイニシャルキャンドルの写真
【図８】従来のＬＥＤマーキーライトの写真
【考案を実施するための形態】
【０００８】
以下、図面を参照しつつ、本考案の字体フラワーベースの一実施例について説明する。ただし、本考案の技術的範囲は以下の実施形態に示した具体的な形状、寸法などには限定されない。
【実施例】
【０００９】
図１は、本考案の字体フラワーベース１を示す写真であり、フローラルフォーム固定手段３は字体フラワーベース本体２に設けられた凹部内に設けられている。フローラルフォーム４が凹部内に押し込まれて収容されているため脱落しにくくなるばかりか、フラワー５をアレンジしたフローラルフォーム４を目立たせなくすることもできる。
図２は、本考案の字体フラワーベース１の写真であり、該固定手段３でフローラルフォーム４が字体フラワーベース本体２に固定された写真を示している。
【００１０】
図３は、水を必要としないドライ用フローラルフォーム４にアートフラワー、プリザーブドフラワー等のドライフラワーがアレンジされた本考案の字体フラワーベース１の写真であり、図４は水を吸水させた生花用フローラルフォーム４を用いた、複数の生花を飾り付けた4個の字体フラワーベース１で構成されるワード「ＬＯＶＥ」の写真である。
【００１１】
本考案の字体フラワーベース本体２および各構成要素の材質は、従来のアルファベットオブジェ（図５参照）やビッグイニシャルオブジェ（図６参照）と同様に、ワックス、木、合板、大理石等の石、合成樹脂、金属、ガラス、陶器など特に限定されるものではない。中でもフラワーベース２の材質をワックスにすることで、顧客ニーズに対応しやすく少量多品種生産に適しており、燃焼芯を装着すれば、図７に示すようなビッグイニシャルキャンドルとしての機能をも付加させることができて好ましい。ワックスを使用する場合、一般に使用されているキャンドル用ワックスを使用してもよいし、耐熱性や耐衝撃性を付加させたハードワックスタイプのワックスを使用してもよい。
【００１２】
さらには、本考案の字体フラワーベース本体２に中空部を設け、該中空部に照明具を入れて該字体フラワーベース１が明るく浮かび上がる様にしてもよいし、図８に示すようにＬＥＤマーキーライト様に字体フラワーベース本体をＬＥＤで電飾するようにしてもよい。
【００１３】
本考案の字体フラワーベース１をビッグイニシャルキャンドルの機能を付加させる際に、ハードワックスタイプのワックスやその他の木、合板、大理石等の石、合成樹脂、ガラス、陶器、金属などの場合は、該フラワーベース本体２の上面部にカートリッジキャンドルの収容部（図示せず）を設けて、カートリッジキャンドルを灯す仕様とすることもできる。
【００１４】
本考案の字体フラワーベース１を構成するフローラルフォーム４を固定する固定手段３は、フラワー５がアレンジされたフローラルフォーム４が脱落しないように固定するためのもので、例えば釘状のピック、木ネジ状や返しの付いた釘等での刺しこみ、或いは押し込み、挟み込み、差し込み等公知の固定方法が採用できる。
例えば図１に示すような釘状のピックでは、吸水させたフローラルフォーム４が脱落しないようにピックを斜め上方に傾けて配している。
【００１５】
本考案の字体フラワーベース１の字体とは、アルファベットをはじめ、ローマ字、数字、漢字、ひらがな、カタカナを含み、書体は特に限定されない。
【産業上の利用可能性】
【００１６】
本考案の字体フラワーベースは字体オブジェにフラワーベースの機能を付加させることで、字体フラワーベース自体に生花やドライフラワーの飾りつけが容易にできてフラワーベースの装飾性を向上させることができ、結婚式前に前撮りのアイテムとして使用したり、写真を撮って、招待状などにロゴとして使ったり、結婚式当日に受付や高砂装飾品アイテムとして飾る、ゲストとの記念写真の時に持って写真を撮る際のアイテムとして使用でき、さらにまた、結婚式後の後撮りアイテムとして使用したり、さらに自宅玄関のインテリアとして飾ったり、お譲りアイテム品として使用でき、結婚式等での利用可能性が高い。                                                                
【符号の説明】
【００１７】
１  字体フラワーベース
２  字体フラワーベース本体
３  フローラルフォーム固定手段
４  フローラルフォーム
５  フラワー
【図１】
0003220962.tif 000003
【図２】
0003220962.tif 000004
【図３】
0003220962.tif 000005
【図４】
0003220962.tif 000006
【図５】
0003220962.tif 000007
【図６】
0003220962.tif 000008
【図７】
0003220962.tif 000009
【図８】
0003220962.tif 000010
【手続補正書】
【提出日】平成31年2月4日(2019.2.4)
【手続補正１】
【補正対象書類名】実用新案登録請求の範囲
【補正対象項目名】全文
【補正方法】変更
【補正の内容】
【実用新案登録請求の範囲】
【請求項１】
字体形状のフラワーベース本体に設けられた凹部内にフローラルフォームが固定された字体形状フラワーベースであって、該フローラルフォームがフラワーベース本体の凹部に押し込まれて、該凹部内に突出する複数の突起物に刺しこまれ、又は挟み込まれて凹部内に固定され、該固定されたフローラルフォームに生花やドライフラワーを挿入して飾り付けるよう構成したことを特徴とする字体形状フラワーベース。
【請求項２】
該字体形状のフラワーベース本体がワックス製であることを特徴とする請求項１記載の字体形状フラワーベース。
【手続補正２】
【補正対象書類名】明細書
【補正対象項目名】０００３
【補正方法】変更
【補正の内容】
【０００３】    しかしながら、生花を飾り付けるには、生花をフラワーベース本体に配した水を含ませた生花専用のフローラルフォームに挿入して飾り付けたり、ドライフラワーでは、フラワーベース本体に配したドライフラワー用のフローラルフォームに挿入して飾り付けることが一般的であった。そのため結婚式、披露宴の準備する際に字体オブジェの他に生花用のフラワーベース及びドライフラワー用のフラワーベースを揃え配置しなければならないばかりか、撤収の際も多大な労力を要していた。    
【手続補正３】
【補正対象書類名】明細書
【補正対象項目名】０００５
【補正方法】変更
【補正の内容】
【０００５】すなわち、第一の考案は、字体形状のフラワーベース本体に設けられた凹部内にフローラルフォームが固定された字体形状フラワーベースであって、該フローラルフォームがフラワーベース本体の凹部に押し込まれて、該凹部内に突出する複数の突起物に刺しこまれ、又は挟み込まれて凹部内に固定され、該固定されたフローラルフォームに生花やドライフラワーを挿入して飾り付けるよう構成したことを特徴とする字体形状フラワーベースである。第二の考案は、字体形状のフラワーベース本体がワックス製であることを特徴とする請求項１記載の字体形状フラワーベースである。
【手続補正４】
【補正対象書類名】明細書
【補正対象項目名】０００９
【補正方法】変更
【補正の内容】
【０００９】図１は、本考案の字体形状のフラワーベース２を示す写真であり、フラワーベース本体１にはフローラルフォームを押し込んで収納する凹部が設けられている。該凹部内には押し込まれたフローラルフォームを固定するための複数の突起物が設けられている。凹部内にフローラルフォームを押しこむとフローラルフォームが凹部内に設けられた突起物が突き刺さり、又は突起物に挟まれため、フローラルフォームは確実に凹部内に固定される。フローラルフォーム４がフラワーベース本体に設けられた凹部内に押し込まれて確実に収納されてるため脱落しにくくなるばかりか、生花やドライフラワーをアレンジしたフローラルフォームを目立たせなくすることもできる。図２は、本考案の字体フラワーベース１の写真であり、フローラルフォームが字体フラワーベース本体２に固定された写真を示している。
【手続補正５】
【補正対象書類名】明細書
【補正対象項目名】００１４
【補正方法】変更
【補正の内容】
【００１４】フラワーベース本体の凹部内に設けられた複数の突起物は、凹部内からフローラルフォームが脱落しないようにするためのもので、例えばフラワーベース本体成形時に凹部に設けた突起物でもよい、更に釘状のピック、木ネジ状や返しの付いた釘などでもよい。該複数の突起物で凹部に収容したフローラルフォームを押し込むと、突起物がフローラルフォームに突き刺さり、又は突起物に挟まれることによりフローラルフォームが確実に凹部内に固定できる。例えば図１に示すような釘状の突起物では、吸水させたフローラルフォーム４が脱落しないように突起物を斜め上方に傾けて配している。
【手続補正６】
【補正対象書類名】明細書
【補正対象項目名】００１５
【補正方法】変更
【補正の内容】
【００１５】本考案の字体形状フラワーベース本体２の字体とは、アルファベットをはじめ、ローマ字、数字、漢字、ひらがな、カタカナを含み、書体は特に限定されない。また、図５のように異なる複数のアルファベット等からなる字体形状フラワーベース本体を並べて、例えばＬＯＶＥの単語を表しても、４つのアルファベットからなる単語ＬＯＶＥを模式的に一つにまとめたフラワーベース本体でもよい。
【手続補正７】
【補正対象書類名】明細書
【補正対象項目名】００１７
【補正方法】変更
【補正の内容】
【００１７】１  フラワーベース２  フラワーベース本体３  突起物４  フローラルフォーム５  生花又はドライフラワー